(57)【要約】  負荷に応じて発電する燃料電池スタックと、燃料ガスを貯蔵する燃料タンクと、燃料タンクから燃料電池スタックに供給する燃料ガスの圧力を調整する圧力調整弁と、燃料電池スタックから排出された燃料ガスをパージするパージ弁と、システムを制御するコントローラーと、を備えた燃料電池システムにおいて、コントローラーは、燃料電池スタックの燃料ガス圧力を脈動させる脈動部と、燃料ガス圧力の脈動の昇圧速度を運転状態に応じて設定する昇圧速度設定部と、を含む。
2013137431.tif 000002
【特許請求の範囲】
【請求項１】
負荷に応じて発電する燃料電池スタックと、燃料ガスを貯蔵する燃料タンクと、燃料タンクから燃料電池スタックに供給する燃料ガスの圧力を調整する圧力調整弁と、燃料電池スタックから排出された燃料ガスをパージするパージ弁と、システムを制御するコントローラーと、を備えた燃料電池システムにおいて、
前記コントローラーは、
前記燃料電池スタックの燃料ガス圧力を脈動させる脈動部と、
前記燃料ガス圧力の脈動の昇圧速度を運転状態に応じて設定する昇圧速度設定部と、
を含む燃料電池システム。
【請求項２】
請求項１に記載の燃料電池システムにおいて、
前記昇圧速度設定部は、前記燃料電池スタックに供給される燃料ガス圧力が高いほど、昇圧速度を高く設定する、
燃料電池システム。
【請求項３】
請求項１又は請求項２に記載の燃料電池システムにおいて、
前記昇圧速度設定部は、前記燃料電池スタックの電解質膜の湿潤度が高いほど、昇圧速度を高く設定する、
燃料電池システム。
【請求項４】
請求項１から請求項３までのいずれか１項に記載の燃料電池システムにおいて、
前記昇圧速度設定部は、前記燃料電池スタックに供給される燃料ガス圧力の下限値が高いほど、昇圧速度を高く設定する、
燃料電池システム。
【請求項５】
請求項１から請求項４までのいずれか１項に記載の燃料電池システムにおいて、
前記昇圧速度設定部は、前記燃料電池スタックの温度が低いほど、昇圧速度を高く設定する、
燃料電池システム。
【請求項６】
請求項１から請求項５までのいずれか１項に記載の燃料電池システムにおいて、
前記脈動部は、要求負荷に応じて前記燃料電池スタック内の燃料ガス圧力を上昇させるとともに、燃料ガス圧力を脈動させる、
燃料電池システム。
【請求項７】
請求項１から請求項６までのいずれか１項に記載の燃料電池システムにおいて、
前記コントローラーは、要求負荷に応じて目標上限圧及び目標下限圧を設定する目標圧設定部をさらに備え、
前記脈動部は、燃料ガスの実圧が目標上限圧になるようにフィードバック制御し、燃料ガスの実圧が目標上限圧になったら目標値を切り替えて燃料ガスの実圧が目標下限圧になるようにフィードバック制御し、燃料ガスの実圧が目標下限圧になったら目標値を切り替えて燃料ガスの実圧が目標上限圧になるようにフィードバック制御することを繰り返し、
さらに、前記脈動部は、要求負荷が所定負荷よりも大きいときには、そうでないときに比べて脈動の降圧速度を遅くする、
燃料電池システム。
【請求項８】
請求項７に記載の燃料電池システムにおいて、
前記脈動部は、前記圧力調整弁の開度を大きくすることで、脈動の降圧速度を遅くする、
燃料電池システム。
【発明の詳細な説明】
【技術分野】
【０００１】
この発明は、燃料電池システムに関する。
【背景技術】
【０００２】
ＪＰ２００７−５１７３６９Ａは、高圧のアノードガスの供給／停止が繰り返されてアノードガスの圧力が脈動する燃料電池システムを開示する。このような燃料電池システムでは、高圧のアノードガスを供給する。これによって反応流路に滞留する不純物がバッファータンクへ押し込まれ、反応流路のアノードガス濃度が高くされて、発電が行われる。続いて、アノードガスの供給を停止して発電を継続することで、アノードガスが消費されて反応流路の圧力が低下する。これにともない、一旦バッファータンクに排出されたアノードガスが逆流してきて発電反応に消費される。アノードガスとともに逆流する不純物や、カソード側からクロスリークする不純物が増えてくると、再び、高圧のアノードガスを供給する。【０００３】
このようなことが繰り返されることで、反応流路のアノードガス濃度が維持されて発電が継続されるのである。【０００４】
また関連する文献公知発明が、ＪＰ２００８−９７９６６Ａ及びＪＰ２００７−１４９６３０Ａにも記載されている。
【発明の概要】
【０００５】
しかしながら、燃料電池システムは、一般的に数百枚ものセルを積層する構成のため、ＪＰ２００７−５１７３６９Ａのように単に脈動を行う制御では、運転状態によっては、発電セル間に反応バラツキが生じやすい、ということが本件発明者らによって知見された。すなわち、たとえば低負荷運転状態であるときに脈動運転の昇圧速度が大きすぎると、マニホールドを流れるアノードガスの流速が速すぎて乱流状態になる。このような状態では、マニホールドから所定の発電セルの反応ガス流路へ流れやすくなったり流れにくくなったりし、各セル毎に供給されるアノードガス量にばらつきが生じてしまう。この結果、不純物が排出できず、アノードガス濃度が低下するセルが生じる可能性がある。すると、発電セル間に反応バラツキが生じやすい。またたとえば高負荷運転状態であるときには、発電反応も活発になり、多くの水が生成される。この水によっていくつかの発電セルのガス流路が閉塞された状態では、その発電セルのガス流路のガスの流れが阻害される。このような状況で昇圧速度が遅すぎると、生成水によって阻害されたガス流路へはガスがより供給されにくく、発電反応が不安定になって発電セル間に反応バラツキが生じやすい。
【０００６】
本発明は、このような従来の問題点に着目してなされた。本発明の目的は、運転状態が変化しても発電セル間に反応バラツキが生じにくい燃料電池システムを提供することである。
【０００７】
本発明による燃料電池システムのひとつの態様は、負荷に応じて発電する燃料電池スタックと、燃料ガスを貯蔵する燃料タンクと、燃料タンクから燃料電池スタックに供給する燃料ガスの圧力を調整する圧力調整弁と、燃料電池スタックから排出された燃料ガスをパージするパージ弁と、システムを制御するコントローラーと、を備える。そして、前記燃料電池スタックの燃料ガス圧力を脈動させる脈動部と、前記燃料ガス圧力の脈動の昇圧速度を運転状態に応じて設定する昇圧速度設定部と、を含む。
【０００８】
本発明の実施形態、本発明の利点は、添付された図面とともに以下に詳細に説明される。
【図面の簡単な説明】
【０００９】
【図１】図１は、本発明による燃料電池システムの第１実施形態の概要を示す図である。
【図２Ａ】図２Ａは、燃料電池スタックを説明する外観斜視図である。
【図２Ｂ】図２Ｂは、燃料電池スタックの発電セルの構造を示す分解図である。
【図３Ａ】図３Ａは、燃料電池スタックにおける電解質膜の反応を説明する模式図である。
【図３Ｂ】図３Ｂは、燃料電池スタックにおける電解質膜の反応を説明する模式図である。
【図４】図４は、燃料電池システムの第１実施形態のコントローラーが実行する制御フローチャートである。
【図５】図５は、反応ガスの脈動運転の目標上限圧力及び目標下限圧力を設定するマップの一例を示す図である。
【図６】図６は、燃料電池システムの第１実施形態の昇圧速度設定ルーチンを示す図である。
【図７Ａ】図７Ａは、燃料電池システムの第１実施形態の昇圧速度を設定するためのマップを例示する図である。
【図７Ｂ】図７Ｂは、燃料電池システムの第１実施形態の昇圧速度を設定するためのマップを例示する図である。
【図７Ｃ】図７Ｃは、燃料電池システムの第１実施形態の昇圧速度を設定するためのマップを例示する図である。
【図８】図８は、第１実施形態の制御フローチャートが実行されたときの作動を説明するタイミングチャートである。
【図９Ａ】図９Ａは、第１実施形態の作用効果を説明する図である。
【図９Ｂ】図９Ｂは、第１実施形態の作用効果を説明する図である。
【図１０】図１０は、燃料電池システムの第２実施形態の昇圧速度設定ルーチンを示す図である。
【図１１Ａ】図１１Ａは、燃料電池システムの第２実施形態の昇圧速度を設定するためのマップを例示する図である。
【図１１Ｂ】図１１Ｂは、燃料電池システムの第２実施形態の昇圧速度を設定するためのマップを例示する図である。
【図１１Ｃ】図１１Ｃは、燃料電池システムの第２実施形態の昇圧速度を設定するためのマップを例示する図である。
【図１２】図１２は、第２実施形態の作用効果を説明する図である。
【図１３】図１３は、燃料電池システムの第３実施形態のコントローラーが実行する制御フローチャートである。
【図１４】図１４は、燃料電池システムの第３実施形態の昇圧速度設定ルーチンを示す図である。
【図１５Ａ】図１５Ａは、燃料電池システムの第３実施形態の昇圧速度を設定するためのマップを例示する図である。
【図１５Ｂ】図１５Ｂは、燃料電池システムの第３実施形態の昇圧速度を設定するためのマップを例示する図である。
【図１５Ｃ】図１５Ｃは、燃料電池システムの第３実施形態の昇圧速度を設定するためのマップを例示する図である。
【図１６】図１６は、第３実施形態の制御フローチャートが実行されたときの作動を説明するタイミングチャートである。
【図１７】図１７は、燃料電池システムの第４実施形態の昇圧速度設定ルーチンを示す図である。
【図１８Ａ】図１８Ａは、燃料電池システムの第４実施形態の昇圧速度を設定するためのマップを例示する図である。
【図１８Ｂ】図１８Ｂは、燃料電池システムの第４実施形態の昇圧速度を設定するためのマップを例示する図である。
【図１８Ｃ】図１８Ｃは、燃料電池システムの第４実施形態の昇圧速度を設定するためのマップを例示する図である。
【図１９】図１９は、第４実施形態の制御フローチャートが実行されたときの作動を説明するタイミングチャートである。
【図２０】図２０は、コントローラーが実行する第５実施形態の制御フローチャートである。
【図２１】図２１は、第５実施形態が実行されたときのタイムチャートである。
【発明を実施するための形態】
【００１０】
（第１実施形態）
図１は、本発明による燃料電池システムの第１実施形態の概要を示す図である。
【００１１】
燃料電池システムは、燃料電池スタック１００と、水素タンク２００と、圧力調整弁３００と、バッファータンク４００と、パージ弁５００と、コントローラー６００と、を含む。
【００１２】
燃料電池スタック１００は、反応ガス(アノードガスＨ2、カソードガスＯ2)が供給されて発電する。詳細は後述する。
【００１３】
水素タンク２００は、アノードガスＨ2を高圧状態で貯蔵する高圧ガスタンクである。水素タンク２００は、アノードラインの最上流に設けられる。
【００１４】
圧力調整弁３００は、水素タンク２００の下流に設けられる。圧力調整弁３００は、水素タンク２００から新たにアノードラインに供給するアノードガスＨ2の圧力を調整する。アノードガスＨ2の圧力は、圧力調整弁３００の開度によって調整される。
【００１５】
バッファータンク４００は、燃料電池スタック１００の下流に設けられる。バッファータンク４００は、燃料電池スタック１００から排出されたアノードガスＨ2を蓄える。
【００１６】
パージ弁５００は、バッファータンク４００の下流に設けられる。パージ弁５００が開くと、アノードガスＨ2がバッファータンク４００からパージされる。
【００１７】
コントローラー６００は、アノードラインに設けられた圧力センサー７１や燃料電池スタック１００に設けられた電流電圧センサー７２などの信号に基づいて圧力調整弁３００の作動を制御する。具体的な制御内容は後述される。
【００１８】
図２Ａは、燃料電池スタックを説明する外観斜視図である。図２Ｂは、燃料電池スタックの発電セルの構造を示す分解図である。
【００１９】
図２Ａに示されるように、燃料電池スタック１００は、積層された複数の発電セル１０と、集電プレート２０と、絶縁プレート３０と、エンドプレート４０と、４本のテンションロッド５０とを備える。
【００２０】
発電セル１０は、燃料電池の単位発電セルである。各発電セル１０は、１ボルト(Ｖ)程度の起電圧を生じる。各発電セル１０の構成の詳細については後述される。
【００２１】
集電プレート２０は、積層された複数の発電セル１０の外側にそれぞれ配置される。集電プレート２０は、ガス不透過性の導電性部材、たとえば緻密質カーボンで形成される。集電プレート２０は、正極端子２１１及び負極端子２１２を備える。燃料電池スタック１００は、正極端子２１１及び負極端子２１２によって、各発電セル１０で生じた電子ｅ-が取り出されて出力する。
【００２２】
絶縁プレート３０は、集電プレート２０の外側にそれぞれ配置される。絶縁プレート３０は、絶縁性の部材、たとえばゴムなどで形成される。
【００２３】
エンドプレート４０は、絶縁プレート３０の外側にそれぞれ配置される。エンドプレート４０は、剛性のある金属材料、たとえば鋼などで形成される。
【００２４】
一方のエンドプレート４０(図２Ａでは、左手前のエンドプレート４０)には、アノード供給口４１ａと、アノード排出口４１ｂと、カソード供給口４２ａと、カソード排出口４２ｂと、冷却水供給口４３ａと、冷却水排出口４３ｂとが設けられている。本実施形態では、アノード供給口４１ａ、冷却水供給口４３ａ及びカソード排出口４２ｂは図中右側に設けられている。またカソード供給口４２ａ、冷却水排出口４３ｂ及びアノード排出口４１ｂは図中左側に設けられている。
【００２５】
テンションロッド５０は、エンドプレート４０の四隅付近にそれぞれ配置される。燃料電池スタック１００は内部に貫通した孔(不図示)が形成されている。この貫通孔にテンションロッド５０が挿通される。テンションロッド５０は、剛性のある金属材料、たとえば鋼などで形成される。テンションロッド５０は、発電セル１０同士の電気短絡を防止するため、表面には絶縁処理されている。このテンションロッド５０にナット(奥にあるため図示されない)が螺合する。テンションロッド５０とナットとが燃料電池スタック１００を積層方向に締め付ける。
【００２６】
アノード供給口４１ａにアノードガスとしての水素を供給する方法としては、例えば水素ガスを水素貯蔵装置から直接供給する方法、又は水素を含有する燃料を改質して改質した水素含有ガスを供給する方法などがある。なお、水素貯蔵装置としては、高圧ガスタンク、液化水素タンク、水素吸蔵合金タンクなどがある。水素を含有する燃料としては、天然ガス、メタノール、ガソリンなどがある。図１では、高圧ガスタンクが使用される。また、カソード供給口４２ａに供給するカソードガスとしては、一般的に空気が利用される。
【００２７】
図２Ｂに示されるように、発電セル１０は、膜電極接合体(Membrane Electrode Assembly；ＭＥＡ)１１の両面に、アノードセパレーター(アノードバイポーラープレート)１２ａ及びカソードセパレーター(カソードバイポーラープレート)１２ｂが配置される構造である。
【００２８】
ＭＥＡ１１は、イオン交換膜からなる電解質膜１１１の両面に電極触媒層１１２が形成される。この電極触媒層１１２の上にガス拡散層(Gas Diffusion Layer；ＧＤＬ)１１３が形成される。
【００２９】
電極触媒層１１２は、たとえば白金が担持されたカーボンブラック粒子で形成される。
【００３０】
ＧＤＬ１１３は、十分なガス拡散性及び導電性を有する部材、たとえばカーボン繊維で形成される。
【００３１】
アノード供給口４１ａから供給されたアノードガスは、このＧＤＬ１１３ａを流れてアノード電極触媒層１１２(１１２ａ)と反応し、アノード排出口４１ｂから排出される。
【００３２】
カソード供給口４２ａから供給されたカソードガスは、このＧＤＬ１１３ｂを流れてカソード電極触媒層１１２(１１２ｂ)と反応し、カソード排出口４２ｂから排出される。
【００３３】
アノードセパレーター１２ａは、ＧＤＬ１１３ａ及びシール１４ａを介してＭＥＡ１１の片面(図２Ｂの裏面)に重ねられる。カソードセパレーター１２ｂは、ＧＤＬ１１３ｂ及びシール１４ｂを介してＭＥＡ１１の片面(図２Ｂの表面)に重ねられる。シール１４(１４ａ，１４ｂ)は、たとえばシリコーンゴム、エチレンプロピレンゴム(ethylene propylene diene monomer；ＥＰＤＭ)、フッ素ゴムなどのゴム状弾性材である。アノードセパレーター１２ａ及びカソードセパレーター１２ｂは、たとえばステンレスなどの金属製のセパレーター基体がプレス成型されて、一方の面に反応ガス流路が形成され、その反対面に反応ガス流路と交互に並ぶように冷却水流路が形成される。図２Ｂに示すようにアノードセパレーター１２ａ及びカソードセパレーター１２ｂが重ねられて、冷却水流路が形成される。
【００３４】
ＭＥＡ１１、アノードセパレーター１２ａ及びカソードセパレーター１２ｂには、それぞれ孔４１ａ，４１ｂ，４２ａ，４２ｂ，４３ａ，４３ｂが形成されており、これらが重ねられて、アノード供給口(アノード供給マニホールド)４１ａ、アノード排出口(アノード排出マニホールド)４１ｂ、カソード供給口(カソード供給マニホールド)４２ａ、カソード排出口(カソード排出マニホールド)４２ｂ、冷却水供給口(冷却水供給マニホールド)４３ａ及び冷却水排出口(冷却水排出マニホールド)４３ｂが形成される。
【００３５】
図３Ａ及び図３Ｂは、燃料電池スタックにおける電解質膜の反応を説明する模式図である。
【００３６】
上述のように、燃料電池スタック１００は、反応ガス(カソードガスＯ2、アノードガスＨ2)が供給されて発電する。燃料電池スタック１００は、電解質膜の両面にカソード電極触媒層及びアノード電極触媒層が形成された膜電極接合体(Membrane Electrode Assembly；ＭＥＡ)が数百枚積層されて構成される。そのうちの１枚のＭＥＡが図３Ａに示される。ここではＭＥＡにカソードガスが供給されて(カソードイン)、対角側から排出されながら(カソードアウト)、アノードガスが供給されて(アノードイン)、対角側から排出される(アノードアウト)、という例が示されている。
【００３７】
各膜電極接合体(ＭＥＡ)は、カソード電極触媒層及びアノード電極触媒層において以下の反応が、負荷に応じて進行して発電する。
【００３８】
【化１】
2013137431.tif 000003
【００３９】
図３Ｂに示すように、反応ガス(カソードガスＯ2)がカソード流路を流れるにつれて上式(1-1)の反応が進行し、水蒸気が生成される。するとカソード流路の下流側では相対湿度が高くなる。この結果、カソード側とアノード側との相対湿度差が大きくなる。この相対湿度差をドライビングフォースとして、水が逆拡散しアノード上流側が加湿される。この水分がさらにＭＥＡからアノード流路に蒸発してアノード流路を流れる反応ガス(アノードガスＨ2)を加湿する。そしてアノード下流側に運ばれてアノード下流のＭＥＡを加湿する。
【００４０】
上記反応によって効率よく発電するには、電解質膜が適度な湿潤状態であることが必要である。電解質膜中の水分が少なく電解質膜の湿潤度が小さすぎれば上記反応が促進されない。反対に、電解質膜中の水分が多すぎれば、余剰の水分が反応ガス流路に溢れてしまって、ガスの流れが阻害される。このような場合も上記反応が促進されない。したがって電解質膜が適度な湿潤状態であることで、効率よく発電される。目標となる湿潤度(目標湿潤度)は、負荷によらず固定された値である。湿潤度に応じた発電効率と、電解質膜の含水に伴う起動時の凍結度合が考慮されて、最適な湿潤度が実験的に付与されている。運転中は、ＨＦＲ(High Frequency Resistance)に基づいて検出される湿潤度が、上記のようにして与えられる目標湿潤度となるように、冷却水温、カソードガス圧力、カソード流量の調整による湿潤度フィードバック制御が実行される。目標湿潤度よりも湿潤側であるときほど、アノード流路無いに凝縮水が多く存在することを想定して、アノードガスを脈動供給するときの昇圧速度を高くするのである。なおＨＦＲ(High Frequency Resistance)は、たとえば公知の交流インピーダンス法によって求められる。すなわち、燃料電池スタック１００の出力電流に高周波の交流電流を重畳したときの燃料電池スタック１００の電圧値を電圧センサーによって検出し、その電圧値に基づいて重畳した交流電流の電圧振幅を演算し、その電圧振幅を重畳した交流電流の電流振幅で割ることでインピーダンス(ＨＦＲ)が算出される。インピーダンス(ＨＦＲ)が大きいほど、電解質膜が乾燥している。なお、インピーダンス(ＨＦＲ)の算出方法は上記方法に限られず、例えば本出願人が出願したＪＰ２０１２−０５４１５３Ａに記載された方法を用いてもよい。
【００４１】
具体的には、発明者らは、以下のように制御するようにした。
【００４２】
図４は、燃料電池システムの第１実施形態のコントローラーが実行する制御フローチャートである。なおコントローラーは、微小時間(たとえば１０ミリ秒)ごとにこのフローチャートを繰り返し実行する。
【００４３】
ステップＳ１においてコントローラーは、目標要求負荷を取得する。具体的には、たとえばドライバーによるアクセルペダル踏み込み量などに基づいて演算すればよい。
【００４４】
ステップＳ２においてコントローラーは、目標要求負荷が変化したか否かを判定する。コントローラーは、判定結果が肯であればステップＳ３へ処理を移行し、判定結果が否であればステップＳ５へ処理を移行する。
【００４５】
ステップＳ３においてコントローラーは、反応ガスの脈動運転の目標上限圧力及び目標下限圧力を設定する。具体的にはたとえば図５に示されるようなマップを予め実験等を通じて用意しておく。そしてそのマップに目標要求負荷を適用して、反応ガスの脈動運転の目標上限圧力及び目標下限圧力を設定する。
【００４６】
ステップＳ４においてコントローラーは、反応ガスの圧力を上げるときの昇圧速度を設定する。具体的には図６に示されているように、圧力に基づいて昇圧速度を設定する(ステップＳ４１)。なおここにいう圧力は、たとえば目標上限圧力及び目標下限圧力の平均圧力である。そして図７Ａに示されるようなマップを予め実験等を通じて用意しておき、そのマップに圧力を適用して、昇圧速度を設定する。なおマップは図７Ｂや図７Ｃのように簡易的なものでもよい。いずれにしても、圧力が大きくなるほど昇圧速度が大きくなる傾向にある。
【００４７】
ステップＳ５においてコントローラーは、現在圧力が上昇中であるか否かを判定する。コントローラーは、判定結果が肯であればステップＳ６へ処理を移行し、判定結果が否であればステップＳ８へ処理を移行する。
【００４８】
ステップＳ６においてコントローラーは、現在の圧力が目標上限圧力よりも小であるか否かを判定する。コントローラーは、判定結果が否であれば一旦処理を抜け、判定結果が肯であればステップＳ７へ処理を移行する。
【００４９】
ステップＳ７においてコントローラーは、反応ガスの供給を停止する。
【００５０】
ステップＳ８においてコントローラーは、現在の圧力が目標下限圧力よりも大であるか否かを判定する。コントローラーは、判定結果が否であれば一旦処理を抜け、判定結果が肯であればステップＳ９へ処理を移行する。
【００５１】
ステップＳ９においてコントローラーは、反応ガスの供給を開始する。
【００５２】
図８は、第１実施形態の制御フローチャートが実行されたときの作動を説明するタイミングチャートである。
【００５３】
なお上述のフローチャートとの対応が分かりやすくするために、フローチャートのステップ番号にＳを付して併記する。
【００５４】
以上の制御フローチャートが実行されて以下のように作動する。
【００５５】
図８では、時刻ｔ１１の以前に、ステップＳ１→Ｓ２→Ｓ３→Ｓ４が処理されて、目標要求負荷に基づいて脈動運転の目標下限圧力Ｐ１１及び目標上限圧力Ｐ１２が設定されている。また反応ガスの圧力を上げるときの昇圧速度が設定されている。
【００５６】
時刻ｔ１１以後は、ステップＳ１→Ｓ２→Ｓ５→Ｓ６の処理が繰り返される。この結果、図８に示されるように、アノード圧が上昇する。
【００５７】
時刻ｔ１２でアノード圧が目標上限圧力Ｐ１２に達したら、ステップＳ６→Ｓ７が処理される。この結果、図８に示されるように、アノード圧が下降に転じる。
【００５８】
時刻ｔ１２以後は、ステップＳ１→Ｓ２→Ｓ５→Ｓ８の処理が繰り返される。アノードガスの供給が停止されている間も、発電反応でアノードガスが消費されるので、図８に示されるように、アノード圧が下降し続ける。
【００５９】
時刻ｔ１３でアノード圧が目標下限圧力Ｐ１１に達したら、ステップＳ８→Ｓ９が処理される。この結果、図８に示されるように、アノード圧が上昇に転じる。
【００６０】
同様の制御が時刻ｔ１５まで繰り返される。
【００６１】
時刻ｔ１５でアクセルペダルが踏み込まれるなどして目標要求負荷が上昇したら、ステップＳ１→Ｓ２→Ｓ３→Ｓ４が処理されて、目標要求負荷に基づいて目標下限圧力Ｐ２１及び目標上限圧力Ｐ２２が再設定される。また昇圧速度が再設定される。なお図８から明らかなように時刻ｔ１５以後にアノード圧が上昇するときの傾きは、時刻ｔ１５以前にアノード圧が上昇するときの傾きよりも立っている。すなわち、時刻ｔ１５以後のアノード圧の昇圧速度は、時刻ｔ１５以前のアノード圧の昇圧速度よりも速くなっている。
【００６２】
時刻ｔ１５以後は、ステップＳ１→Ｓ２→Ｓ５→Ｓ６の処理が繰り返される。この結果、アノード圧が上昇する。
【００６３】
時刻ｔ１６でアノード圧が目標上限圧力Ｐ２２に達したら、ステップＳ６→Ｓ７が処理される。この結果、アノード圧が下降に転じる。
【００６４】
時刻ｔ１６以後は、ステップＳ１→Ｓ２→Ｓ５→Ｓ８の処理が繰り返される。アノードガスの供給が停止されている間も、発電反応でアノードガスが消費されるので、アノード圧が下降し続ける。
【００６５】
時刻ｔ１７でアノード圧が目標下限圧力Ｐ２１に達したら、ステップＳ８→Ｓ９が処理される。この結果、図８に示されるように、アノード圧が下降に転じる。
【００６６】
以後、同様の制御が繰り返される。
【００６７】
図９Ａ及び図９Ｂは、第１実施形態の作用効果を説明する図である。なおグラフの横軸は、積層された複数の発電セル１０の位置を示す。左側が図２に示された手前側であり、右側が図２に示された奥側である。グラフの縦軸は各発電セルの微小時間における発電量を示す。この発電量の相違が小さければバラツキが少なく発電が安定していることが判る。発電量の相違が大きければバラツキが多く発電が安定していないことが判る。
【００６８】
上述のように、本実施形態では、燃料電池スタックに要求される負荷が高いほど、脈動運転の目標上限圧力及び目標下限圧力が大きく設定される。また昇圧速度も大きく設定される。
【００６９】
燃料電池スタックに要求される負荷が小さければ、式(1-1)に示される発電反応も相応に生じる。このようなときには、昇圧速度をあまり大きくせずに、基準速度で昇圧させたほうが、各発電セルでの発電バラツキは図９Ａの黒四角で示されるように小さい。すなわち安定した発電反応が生じる。
【００７０】
これに対して、昇圧速度を大きくすると、各発電セルでの発電バラツキは図９Ａの白丸で示されるように大きい。すなわち発電反応が不安定になる。
【００７１】
これについて、発明者らは以下のように考察する。すなわち、昇圧速度を大きくすると、アノード供給マニホールドを流れるアノードガスの流速が急激に速くなる。すると、アノード供給マニホールドから各発電セルのガス流路へ流れるガスの流量がバラつく。アノード供給マニホールドを流れるアノードガスの流速が急激に速くなると、アノード供給マニホールドを流れるアノードガスが乱流状態になってしまって、各発電セルのガス流路への均一な流れが阻害されて分配バラツキが大きくなるからである。アノード供給マニホールドを流れるアノードガスの流速が速くなければ、アノードガスは、アノード供給マニホールドから各発電セルのガス流路へほぼ均一に流れて分配バラツキが小さいと考えられる。以上が発明者らの考察である。
【００７２】
一方、燃料電池スタックに要求される負荷が大きければ、式(1-1)に示される発電反応も活発になる。このようなときには、昇圧速度を大きくしたほうが、各発電セルでの発電バラツキは図９Ｂの白丸で示されるように小さい。すなわち安定した発電反応が生じる。
【００７３】
これに対して、基準速度で昇圧させると、各発電セルでの発電バラツキは図９Ｂの黒四角で示されるように大きい。すなわち発電反応が不安定になる。
【００７４】
これについて、発明者らは以下のように考察する。すなわち、燃料電池スタックに要求される負荷が大きければ、式(1-1)に示される発電反応も活発になり、多くの水が生成される。この水が各発電セルのガス流路に残留した状態では、ガスの流れが阻害され、発電反応が不安定になる。これに対して、昇圧速度を大きくして、アノード供給マニホールドを流れるアノードガスの流速を迅急に高めれば、各発電セルのガス流路に残留した生成水が除去され、発電反応が安定する。しかしながら、基準速度で昇圧させては、各発電セルのガス流路に残留した生成水の除去能力が不足し、発電反応が不安定になる、というのが発明者らの知見である。
【００７５】
また燃料電池スタックに要求される負荷が大きいときには、燃料電池スタックに供給するガスの圧力も高くなる。
【００７６】
ガスの圧力が高い状態と、ガスの圧力が低い状態とで、ガスの昇圧速度を同じだけ上昇させても、流れる速度は異なる。すなわちガスの昇圧速度を同じだけ上昇させても、ガスの圧力が高い状態のときのほうが、ガスの圧力が低い状態のときよりも、ガスの流速が遅くなる。すなわちガスが供給されにくくなる。
【００７７】
これに対して本実施形態では、燃料電池スタックに要求される負荷が高いほど、脈動運転の目標圧力を大きく設定するのに合わせて、昇圧速度も大きく設定するので、適正なガスを供給しやすいのである。
【００７８】
以上説明したように、本実施形態によれば、燃料電池スタックに要求される負荷(運転状態)が変化しても、各発電セルでの発電バラツキが生じにくく、発電が安定しやすいのである。また分配バラツキがあって各発電セルで反応ガスが不足した場合には、セルが劣化する可能性がある。しかしながら本実施形態では、分配バラツキを抑制できるので、セルを劣化させてしまうことを防止できる。
【００７９】
（第２実施形態）
図１０は、燃料電池システムの第２実施形態の昇圧速度設定ルーチンを示す図である。
【００８０】
なお以下では前述と同様の機能を果たす部分には同一の符号を付して重複する説明を適宜省略する。
【００８１】
第１実施形態では、圧力(たとえば目標上限圧力及び目標下限圧力の平均圧力)に基づいて昇圧速度を設定した(ステップＳ４１)。これに対して、この第２実施形態では、目標上限圧力は考慮せず目標下限圧力に基づいて昇圧速度を設定する(ステップＳ４２)。具体的には、図１１Ａに示されるようなマップを予め実験等を通じて用意しておき、そのマップに目標下限圧力を適用して、昇圧速度を設定する。なおマップは図１１Ｂや図１１Ｃのように簡易的なものでもよい。いずれにしても、目標下限圧力が大きくなるほど昇圧速度が大きくなる傾向にある。
【００８２】
図１２は、第２実施形態の作用効果を説明する図である。
【００８３】
脈動運転パターンＡ及び脈動運転パターンＢを考える。
【００８４】
脈動運転パターンＢの目標上限圧力及び目標下限圧力の平均圧力は、脈動運転パターンＡと同じである。しかしながら、脈動運転パターンＢは、脈動運転パターンＡに比べて大きな振幅で脈動する。このような場合には、脈動運転パターンＢのほうが、下限圧力が低いので、昇圧速度が同じであってもガスの流速が速くなりやすい。したがって、各発電セルのガス流路への分配バラツキが大きくなりやすい。
【００８５】
これに対して第２実施形態では、目標下限圧力に基づいて昇圧速度を設定するので、脈動運転パターンＢは、脈動運転パターンＡに比べて小さな昇圧速度が設定される。したがって脈動運転パターンＢは、脈動運転パターンＡに比べて、アノード供給マニホールドを流れるアノードガスの流速が遅くなり、アノード供給マニホールドから各発電セルのガス流路へ均一に流れやすくなる。すなわち分配バラツキが小さくなる。ゆえに安定した発電反応が可能になる。
【００８６】
（第３実施形態）
図１３は、燃料電池システムの第３実施形態のコントローラーが実行する制御フローチャートである。
【００８７】
この第３実施形態では、図１３に示されるように、ステップＳ２の分岐よりも先にステップＳ４０で昇圧速度を設定する。それ以外のステップＳ１〜Ｓ３，Ｓ５〜Ｓ９は、図４と同じであるので、詳細な説明は省略する。なおステップＳ４０の詳細は、図１４を参照して説明される。
【００８８】
図１４は、燃料電池システムの第３実施形態の昇圧速度設定ルーチンを示す図である。
【００８９】
ステップＳ４０１においてコントローラーは、電解質膜の湿潤度を求める。電解質膜の湿潤度は、インピーダンスによって変化する。すなわち電解質膜の湿潤度が小さいほど(電解質膜中の水分が少なく乾き気味であるほど)、インピーダンスは大きくなる。電解質膜の湿潤度が大きいほど(電解質膜中の水分が多く濡れ気味であるほど)、インピーダンスは小さくなる。ステップＳ４０１では、この特性を利用して、たとえば燃料電池スタックの発電電流を例えば１ｋＨｚの正弦波で変動させて電圧の変動を見る。そして１ｋＨｚの交流電圧振幅を交流電流振幅で除算することでインピーダンスを求める。そしてこのインピーダンスに基づいて電解質膜の湿潤度を得ることができる。
【００９０】
ステップＳ４０２においてコントローラーは、電解質膜の湿潤度が変化したか否かを判定する。なお具体的には、湿潤度の変化がある程度の範囲よりも大きく変化した場合に肯を判定する。誤差を防止するためである。コントローラーは、判定結果が否であれば一旦処理を抜け、判定結果が肯であればステップＳ４０３へ処理を移行する。
【００９１】
ステップＳ４０３においてコントローラーは、電解質膜の湿潤度に基づいて昇圧速度を設定する。具体的には、図１５Ａに示されるようなマップを予め実験等を通じて用意しておき、そのマップに電解質膜の湿潤度を適用して、昇圧速度を設定する。なおマップは図１５Ｂや図１５Ｃのように簡易的なものでもよい。いずれにしても、電解質膜の湿潤度が大きくなるほど昇圧速度が大きくなる傾向にある。
【００９２】
図１６は、第３実施形態の制御フローチャートが実行されたときの作動を説明するタイミングチャートである。
【００９３】
図１６では、時刻ｔ３１の以前に、ステップＳ４０(Ｓ４０１→Ｓ４０２→Ｓ４０３)→Ｓ１→Ｓ２→Ｓ３が処理されて、電解質膜の湿潤度に応じた昇圧速度が設定されているとともに、目標要求負荷に基づいて脈動運転の目標下限圧力Ｐ３１及び目標上限圧力Ｐ３２が設定されている。
【００９４】
時刻ｔ３２までは電解質膜の湿潤度が変化しない。または変化があっても大きくは変化しない。この状態では、ステップＳ４０において、ステップＳ４０１→Ｓ４０２が処理される。そして第１実施形態と同様に処理されてアノード圧が脈動する。
【００９５】
時刻ｔ３２で、電解質膜の湿潤度が大きく濡れ気味であることが判定される。この状態では、ステップＳ４０において、ステップＳ４０１→Ｓ４０２→Ｓ４０３が処理されて昇圧速度が再設定される。アノード圧が上昇するときの傾きは、時刻ｔ３２以前にアノード圧が上昇するときの傾きよりも立っていることからも判るように、昇圧速度は、時刻ｔ３２以前の昇圧速度よりも大きく設定される。そして上記と同様に処理されてアノード圧が脈動する。
【００９６】
時刻ｔ３３で、電解質膜の湿潤度が小さく乾き気味であることが判定される。この状態では、ステップＳ４０において、ステップＳ４０１→Ｓ４０２→Ｓ４０３が処理されて昇圧速度が再設定される。アノード圧が上昇するときの傾きは、時刻ｔ３３以前にアノード圧が上昇するときの傾きよりも緩やかになっていることからも判るように、昇圧速度は、時刻ｔ３３以前の昇圧速度よりも小さく設定される。そして上記と同様に処理されてアノード圧が脈動する。
【００９７】
この第３実施形態では、電解質膜の湿潤度に応じて昇圧速度を設定するようにした。湿潤度が高いほど(すなわち電解質膜が濡れ気味であるほど)、昇圧速度を大きくして、アノード供給マニホールドを流れるアノードガスの流速を迅急に高めるようにした。このようにすることで、各発電セルのガス流路に残留する生成水を除去することができ、発電反応を安定させることができる。
【００９８】
また湿潤度が低いほど(すなわち電解質膜が乾き気味であるほど)、昇圧速度を小さくして、アノード供給マニホールドを流れるアノードガスの流速が速くなりすぎないようにする。このようにすることで、アノードガスは、アノード供給マニホールドから各発電セルのガス流路へほぼ均一に分配されるようになり、発電反応を安定させることができるのである。
【００９９】
（第４実施形態）
図１７は、燃料電池システムの第４実施形態の昇圧速度設定ルーチンを示す図である。
【０１００】
第３実施形態では、電解質膜の湿潤度に応じて昇圧速度を設定した。これに対して、この第４実施形態では燃料電池スタックの温度に応じて昇圧速度を設定する。具体的には以下である。
【０１０１】
ステップＳ４０４においてコントローラーは、燃料電池スタックの温度を求める。具体的には、たとえば燃料電池スタックに温度センサーを取り付けて、この温度センサーによって検出すればよい。また冷却水の温度から燃料電池スタックの温度を推定してもよい。
【０１０２】
ステップＳ４０５においてコントローラーは、燃料電池スタックの温度が変化したか否かを判定する。なお具体的には、温度の変化がある程度の範囲よりも大きく変化した場合に肯を判定する。誤差を防止するためである。コントローラーは、判定結果が否であれば一旦処理を抜け、判定結果が肯であればステップＳ４０６へ処理を移行する。
【０１０３】
ステップＳ４０６においてコントローラーは、燃料電池スタックの温度に基づいて昇圧速度を設定する。具体的には、図１８Ａに示されるようなマップを予め実験等を通じて用意しておき、そのマップに燃料電池スタックの温度を適用して、昇圧速度を設定する。なおマップは図１８Ｂや図１８Ｃのように簡易的なものでもよい。いずれにしても、燃料電池スタックの温度が大きくなるほど昇圧速度が小さくなる傾向にある。
【０１０４】
この第４実施形態では、燃料電池スタックの温度に応じて昇圧速度を設定する。そして燃料電池スタックの温度が低いほど昇圧速度を大きくして、アノード供給マニホールドを流れるアノードガスの流速を迅急に高めるようにした。また燃料電池スタックの温度が高いほど昇圧速度を小さくして、アノード供給マニホールドを流れるアノードガスの流速が速くなりすぎないようにした。
【０１０５】
燃料電池スタックの電解質膜の湿潤度は、燃料電池スタックの温度と相関する。燃料電池スタックの温度が高いほど、湿潤度が低くなる。すなわち電解質膜が乾き気味になる。燃料電池スタックの温度が低いほど、湿潤度が高くなる。すなわち電解質膜が濡れ気味になる。
【０１０６】
そのため、この第４実施形態のように、燃料電池スタックの温度に応じて昇圧速度を設定することでも、図１９に示されるように、第３実施形態と同様の作用効果が得られる。電解質膜の湿潤度を求めるよりも、燃料電池スタックの温度を求めるほうが簡易である。したがって、この第４実施形態によれば、第３実施形態よりも簡易に、第３実施形態と同様な作用効果が得られるのである。
【０１０７】
（第５実施形態）
図２０は、コントローラーが実行する第５実施形態の制御フローチャートである。
【０１０８】
式(1-1)に示された発電反応によって水が生成される。この水が電解質膜を透過してアノード流路に到達し、余剰の液水がバッファータンク４００に排出される。
【０１０９】
ところで、一旦、バッファータンク側に流れた水が、アノード圧の低下にともなって、燃料電池スタックに戻る可能性がある。燃料電池の発電反応は、燃料電池スタックに要求される負荷が大きいほど活発になって水の生成量も多くなるので、要求負荷が大きい場合にバッファータンク側から水が戻るおそれがある。水が戻ると、その水がアノード流路を塞いで発電反応が阻害される可能性がある。
【０１１０】
そこで、発明者は、このような場合に、アノード圧の低下速度を遅くすることで、バッファータンク側からの水の戻りを抑制するようにした。
【０１１１】
以下では具体的な制御内容について説明する。
【０１１２】
ステップＳ５０１においてコントローラーは、負荷が閾値よりも大であるか否かを判定する。コントローラーは、判定結果が肯であればステップＳ５０２へ処理を移行し、判定結果が否であればステップＳ５０５へ処理を移行する。
【０１１３】
ステップＳ５０２においてコントローラーは、ＨＦＲを検出する。
【０１１４】
ステップＳ５０３においてコントローラーは、ＨＦＲが閾値よりも小であるか否かを判定する。すなわち湿潤状態がウェットであるか否かを判定する。コントローラーは、判定結果が肯であればステップＳ５０４へ処理を移行し、判定結果が否であればステップＳ５０５へ処理を移行する。
【０１１５】
ステップＳ５０４においてコントローラーは、脈動の降圧速度が通常よりも遅くなるように降圧速度の目標値(バッファータンク側からの水の戻りを抑制できるが発電運転を悪化させない程度にガスが戻る目標速度)を定めてフィードバック制御を実行する。上述したように、コントローラーは、昇圧時には昇圧速度を設定し、その昇圧速度になるようにフィードバック制御を実行している。この結果として圧力調整弁３００の開度が適宜調整されることとなる。このステップＳ５０４では、同様に降圧速度の目標値を定めてフィードバック制御を実行するのである。この結果として圧力調整弁３００の開度が適宜調整され、降圧時にも圧力調整弁３００が一定の開度で開くこととなり、ステップＳ５０５のときに比べて圧力調整弁３００の開度が大きくなる。
【０１１６】
ステップＳ５０５においてコントローラーは、脈動の降圧速度が通常になるように降圧速度の目標値を定めてフィードバック制御を実行する。ここで通常の降圧速度とは、バッファータンク側からの水の戻りを抑制する必要がない場合に負荷などに基づいて設定される速度である。
【０１１７】
図２１は、第５実施形態が実行されたときのタイムチャートである。
【０１１８】
負荷が小さい間は、アノード圧も低い。
【０１１９】
負荷が高くなると、アノード圧も高くなる。また発電反応が活性されて生成水も増えることからＨＦＲも下がる。ただし時刻ｔ５２までは、ＨＦＲが閾値よりも大きく、過剰なウェット状態ではない。この状態では、脈動の降圧速度が通常速度に設定されており、脈動降圧時に圧力調整弁３００が全閉される。
【０１２０】
時刻ｔ５２を過ぎると、ＨＦＲが閾値よりも小さくなり、燃料電池スタックから排出された液水が、脈動降圧時に戻る可能性がある。そこでこのときは、脈動の降圧速度が通常よりも遅くなるように降圧速度の目標値が定められてフィードバック制御が実行される。この結果として、脈動降圧時にも圧力調整弁３００が全閉されるのではなく、一定開度にされて、脈動の降圧速度が遅くされる。このようにすれば、脈動降圧時にも一定のアノードガスが水素タンク２００から供給されることとなって、バッファータンク側からの水の戻りが抑制されるのである。
【０１２１】
以上、本発明の実施形態について説明したが、上記実施形態は本発明の適用例の一部を示したに過ぎず、本発明の技術的範囲を上記実施形態の具体的構成に限定する趣旨ではない。
【０１２２】
たとえば、上記実施形態は、適宜組み合わせ可能である。
【０１２３】
また上記説明中の「検出」には、直接検出するのみならず、間接的に検出すなわち他から推定することも含む。
【０１２４】
また第５実施形態において、脈動の降圧速度と圧力調整弁の開度との相関を求めておいて、ステップＳ５０４やステップＳ５０５で、圧力調整弁を所望の開度にしてもよい。
【０１２５】
本願は、２０１２年３月１５日に日本国特許庁に出願された特願２０１２−５９２７６に基づく優先権を主張し、これらの出願の全ての内容は参照によって本明細書に組み込まれる。
【図１】
2013137431.tif 000004
【図２Ａ】
2013137431.tif 000005
【図２Ｂ】
2013137431.tif 000006
【図３Ａ】
2013137431.tif 000007
【図３Ｂ】
2013137431.tif 000008
【図４】
2013137431.tif 000009
【図５】
2013137431.tif 000010
【図６】
2013137431.tif 000011
【図７Ａ】
2013137431.tif 000012
【図７Ｂ】
2013137431.tif 000013
【図７Ｃ】
2013137431.tif 000014
【図８】
2013137431.tif 000015
【図９Ａ】
2013137431.tif 000016
【図９Ｂ】
2013137431.tif 000017
【図１０】
2013137431.tif 000018
【図１１Ａ】
2013137431.tif 000019
【図１１Ｂ】
2013137431.tif 000020
【図１１Ｃ】
2013137431.tif 000021
【図１２】
2013137431.tif 000022
【図１３】
2013137431.tif 000023
【図１４】
2013137431.tif 000024
【図１５Ａ】
2013137431.tif 000025
【図１５Ｂ】
2013137431.tif 000026
【図１５Ｃ】
2013137431.tif 000027
【図１６】
2013137431.tif 000028
【図１７】
2013137431.tif 000029
【図１８Ａ】
2013137431.tif 000030
【図１８Ｂ】
2013137431.tif 000031
【図１８Ｃ】
2013137431.tif 000032
【図１９】
2013137431.tif 000033
【図２０】
2013137431.tif 000034
【図２１】
2013137431.tif 000035
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
負荷に応じて発電する燃料電池スタックと、燃料ガスを貯蔵する燃料タンクと、燃料タンクから燃料電池スタックに供給する燃料ガスの圧力を調整する圧力調整弁と、燃料電池スタックから排出された燃料ガスをパージするパージ弁と、システムを制御するコントローラーと、を備えた燃料電池システムにおいて、
前記コントローラーは、
前記燃料電池スタックの燃料ガス圧力を脈動させる脈動部と、
高負荷運転するときは低負荷運転するときに比べて前記燃料ガス圧力の脈動の昇圧速度を速くする昇圧速度設定部と、
を含む燃料電池システム。
【請求項２】
請求項１に記載の燃料電池システムにおいて、
前記昇圧速度設定部は、前記燃料電池スタックに供給される燃料ガス圧力が高いほど、昇圧速度を高く設定する、
燃料電池システム。
【請求項３】
請求項１又は請求項２に記載の燃料電池システムにおいて、
前記昇圧速度設定部は、前記燃料電池スタックの電解質膜の湿潤度が高いほど、昇圧速度を高く設定する、
燃料電池システム。
【請求項４】
請求項１から請求項３までのいずれか１項に記載の燃料電池システムにおいて、
前記昇圧速度設定部は、前記燃料電池スタックに供給される燃料ガス圧力の下限値が高いほど、昇圧速度を高く設定する、
燃料電池システム。
【請求項５】
請求項１から請求項４までのいずれか１項に記載の燃料電池システムにおいて、
前記昇圧速度設定部は、前記燃料電池スタックの温度が低いほど、昇圧速度を高く設定する、
燃料電池システム。
【請求項６】
請求項１から請求項５までのいずれか１項に記載の燃料電池システムにおいて、
前記脈動部は、要求負荷に応じて前記燃料電池スタック内の燃料ガス圧力を上昇させるとともに、燃料ガス圧力を脈動させる、
燃料電池システム。
【請求項７】
請求項１から請求項６までのいずれか１項に記載の燃料電池システムにおいて、
前記コントローラーは、要求負荷に応じて目標上限圧及び目標下限圧を設定する目標圧設定部をさらに備え、
前記脈動部は、燃料ガスの実圧が目標上限圧になるようにフィードバック制御し、燃料ガスの実圧が目標上限圧になったら目標値を切り替えて燃料ガスの実圧が目標下限圧になるようにフィードバック制御し、燃料ガスの実圧が目標下限圧になったら目標値を切り替えて燃料ガスの実圧が目標上限圧になるようにフィードバック制御することを繰り返し、
さらに、前記脈動部は、要求負荷が所定負荷よりも大きいときには、そうでないときに比べて脈動の降圧速度を遅くする、
燃料電池システム。
【請求項８】
請求項７に記載の燃料電池システムにおいて、
前記脈動部は、前記圧力調整弁の開度を大きくすることで、脈動の降圧速度を遅くする、
燃料電池システム。
【手続補正書】
【提出日】平成26年9月11日(2014.9.11)
【手続補正１】
【補正対象書類名】明細書
【補正対象項目名】００４８
【補正方法】変更
【補正の内容】
【００４８】
ステップＳ６においてコントローラーは、現在の圧力が目標上限圧力よりも小であるか否かを判定する。コントローラーは、判定結果が肯であれば一旦処理を抜け、判定結果が否であればステップＳ７へ処理を移行する。
【手続補正２】
【補正対象書類名】明細書
【補正対象項目名】００５０
【補正方法】変更
【補正の内容】
【００５０】
ステップＳ８においてコントローラーは、現在の圧力が目標下限圧力よりも大であるか否かを判定する。コントローラーは、判定結果が肯であれば一旦処理を抜け、判定結果が否であればステップＳ９へ処理を移行する。
【手続補正３】
【補正対象書類名】明細書
【補正対象項目名】００６５
【補正方法】変更
【補正の内容】
【００６５】
時刻ｔ１７でアノード圧が目標下限圧力Ｐ２１に達したら、ステップＳ８→Ｓ９が処理される。この結果、図８に示されるように、アノード圧が上昇に転じる。
【手続補正４】
【補正対象書類名】図面
【補正対象項目名】図４
【補正方法】変更
【補正の内容】
【図４】
2013137431.tif 000036
【手続補正５】
【補正対象書類名】図面
【補正対象項目名】図１３
【補正方法】変更
【補正の内容】
【図１３】
2013137431.tif 000037
【国際調査報告】
2013137431.tif 000038
2013137431.tif 000039
2013137431.tif 000040
2013137431.tif 000041